(57)【特許請求の範囲】
【請求項１】
フレームと、収納部材とを有し、
前記フレームは、背板と、支持部材とを有し、
その内、前記背板は、細長状のプレート体であり、その両側近傍にそれぞれ、掛け孔が穿設され、
前記支持部材は、細長状のブロック体であり、前記フレームの側面に設けられると共に、長手方向において前記背板と同一の長さを有し、また、上延設部と、下延設部と、前板部と、設置溝部と、２つの位置決め孔と、上リブと、下リブとを備え、その内、該上延設部は細長状を呈し、前記掛け孔の下側に位置するように、前記背板の側面の上部に設置され、該下延設部は細長状を呈し、該上延設部と平行するように、該上延設部の下側に位置すると共に、前記背板の側面の下部に設置され、該前板部は矩形を呈し、該上延設部と下延設部との間に設けられ、前記背板と反対する側に当接面が形成され、該設置溝部は、該上延設部と下延設部と前板部との間に形成され、奥部が該前板部の当接面に位置し、該２つの位置決め孔はそれぞれ円形を呈し、前記背板の両側近傍における前板部に穿設され、該上リブは、該上延設部から下延設部に向かって延設され、該下リブは、該下延設部から該上リブに向かって延設され、
前記収納部材は、前記フレームに設置され、前記設置溝部の形状と対応する底板と、位置決め手段と、複数の掛止座とを有し、
前記底板は、設置溝部に設置され、前記前板部の当接面と反対する側に、前記上リブ及び下リブに当接する設置面を備え、
前記位置決め手段は、前記底板に形成されると共に、前記２つの位置決め孔の何れか１つに係合され、
前記複数の掛止座はそれぞれ、間隔をおいて前記底板の設置面上、且つ前記上リブと下リブとの間に設けられ、前記底板と反対する側に形成される前面と、掛止孔と、スリットと、２つの案内面とを備え、その内、該掛止孔は、前記掛止座の上面から下面まで縦方向に貫通するように形成され、該スリットは、前記掛止座の前面において上面から下面まで縦方向に切欠くように形成されると共に、該掛止孔と連通し、両側に互いに面するように２つの内側面が形成され、前記案内面はそれぞれ、該スリットの内側面に外側へ向かって広がるように形成されることを特徴とする手工具用ホルダ。
【請求項２】
前記各掛止座は延設溝を有し、該延設溝は、前記底板に向かって縦方向へ掛止座を切欠くように形成され、該掛止孔と連通することを特徴とする請求項１に記載の手工具用ホルダ。
【請求項３】
各掛止座はさらに、２つの凹部とを有し、該凹部はそれぞれ、掛止座の外側面に対向するように、且つ掛止座の上面から下面まで切欠くように凹設され、
尚且つ前記収納部材における各掛止座の、凹部と掛止孔との間に形成される最小距離Ａは、掛止座の案内面以外の箇所に、掛止座の側面とスリットとの間に形成される最小距離Ｂよりも小さいことを特徴とする請求項１に記載の手工具用ホルダ。
【請求項４】
掛止座はさらに、スロットを有し、該スロットは、掛止座の上面から下面まで貫通するように形成され、且つ掛止孔と連通するものであり、また、該掛止孔は、該スロットの中央に位置することを特徴とする請求項１に記載の手工具用ホルダ。
【発明の詳細な説明】
【技術分野】
【０００１】
本発明は、特に複数の部品の組み立てを容易にすることにより、作業時間を節約をした手工具用ホルダに関するものである。
【背景技術】
【０００２】
従来の手工具用ホルダは、フレームと、複数の収納部材とを有し、その内、該フレームの側面にレールが形成され、該レールに摺動可能に該複数の収納部材が設置され、該各収納部材は、側面に延設されるベースと、該ベースに延設され、手工具（例えば、ドライバなど）を収納する掛止座とを備えるものである。
【発明の概要】
【発明が解決しようとする課題】
【０００３】
しかしながら、従来の手工具用ホルダにおける複数の収納部材は、一つ一つフレームのレールに装着しなければならないため、作業に時間がかかるという問題があった。
【課題を解決するための手段】
【０００４】
本発明に係る手工具用ホルダは、背板と、支持部材とを備えるフレームと、収納部材とを有し、その内、該フレームにおける背板は、細長状のプレート体であり、その両側近傍にそれぞれ掛け孔が穿設され、一方、該支持部材は、細長状のブロック体であり、該フレームの側面に設けられると共に、長手方向において該背板と同一の長さを有し、また、上延設部と、下延設部と、前板部と、設置溝部と、２つの位置決め孔と、上リブと、下リブとを備えるものである。
【０００５】
前記支持部材における上延設部は細長状を呈し、前記掛け孔の下側に位置するように、前記背板の側面の上部に設置され、該下延設部は細長状を呈し、該上延設部と平行するように、該上延設部の下側に位置すると共に、前記背板の側面の下部に設置され、該前板部は矩形を呈し、該上延設部と下延設部との間に設けられ、前記背板と反対する側に当接面が形成され、該設置溝部は、該上延設部と下延設部と前板部との間に形成され、奥部が該前板部の当接面に位置し、該２つの位置決め孔はそれぞれ円形を呈し、前記背板の両側近傍における前板部に穿設され、該上リブは、該上延設部から下延設部に向かって延設され、該下リブは、該下延設部から該上リブに向かって延設される。
【０００６】
前記収納部材は、前記フレームに設置され、前記設置溝部の形状と対応する底板と、位置決め手段と、複数の掛止座とを有し、その内、該底板は、設置溝部に設置され、前記前板部の当接面と反対する側に、前記上リブ及び下リブに当接する設置面を備え、該位置決め手段は、該底板に形成されると共に、前記２つの位置決め孔の何れか１つに係合され、該複数の掛止座はそれぞれ、間隔をおいて該底板の設置面上、且つ該上リブと下リブとの間に設けられ、前記底板と反対する側に形成される前面と、掛止孔と、スリットと、２つの案内面と、延設溝とを備え、その内、該掛止孔は、該掛止座の上面から下面まで縦方向に貫通するように形成され、該スリットは、該掛止座の前面において上面から下面まで縦方向に切欠くように形成されると共に、該掛止孔と連通し、両側に互いに面するように内側面が形成され、前記案内面はそれぞれ、該スリットの内側面に外側へ向かって広がるように形成される。
【０００７】
前記各掛止座は延設溝を有し、該延設溝は、前記底板に向かって縦方向へ掛止座を切欠くように形成され、該掛止孔と連通する。
【０００８】
前記各掛止座はさらに、２つの凹部とを有し、該凹部はそれぞれ、掛止座の外側面に対向するように、且つ掛止座の上面から下面まで切欠くように凹設され、
尚且つ、前記収納部材における各掛止座の、凹部と掛止孔との間に形成される最小距離Ａは、掛止座の案内面以外の箇所に、掛止座の側面とスリットとの間に形成される最小距離Ｂよりも小さいことが好ましい。
【０００９】
掛止座はさらに、スロットを有し、該スロットは、掛止座の上面から下面まで貫通するように形成され、且つ前記掛止孔と連通し、また、該掛止孔は、該スロットの中央に位置することが好ましい。
【発明の効果】
【００１０】
本発明に係る手工具用ホルダは、収納部材とフレームとを簡単に組み立てられるので、組み立て時間を節約することができる。
【図面の簡単な説明】
【００１１】
【図１】本発明に係る手工具用ホルダの第一実施例の斜視図である。
【図２】本発明に係る手工具用ホルダの第一実施例の部分拡大分解斜視図である。
【図３】本発明に係る手工具用ホルダの第一実施例の他の部分拡大分解斜視図である。
【図４Ａ】本発明に係る手工具用ホルダの第一実施例の部分拡大側面断面図である。
【図４Ｂ】図４Ａにおける部分拡大断面図である。
【図５】本発明に係る手工具用ホルダの第一実施例の他の部分拡大側面断面図である。
【図６】本発明に係る手工具用ホルダの第一実施例において、複数のドライバーをそれぞれ掛止座に設置した状態を示す斜面図である。
【図７】本発明に係る手工具用ホルダの第一実施例において、ドライバーを掛止座に掛ける動作を示す部分拡大斜視図である。
【図８】図７におけるドライバーを掛止座に掛ける動作を示す平面図である。
【図９】本発明に係る手工具用ホルダの第二実施例において、ドライバーを掛止座に掛ける動作を示す部分拡大斜視図である。
【図１０】図９におけるドライバーを掛止座に掛ける動作を示す平面図である。
【図１１】本発明に係る手工具用ホルダの第三実施例において、ドライバーを掛止座に掛ける動作を示す部分拡大斜視図である。
【発明を実施するための形態】
【００１２】
以下、添付図面を参照して本発明の適切な実施の形態を詳細に説明する。
【００１３】
図１乃至図５に示すように、本発明に係る手工具用ホルダにおける第一実施例は、フレーム１０と、収納部材２０とを有し、該フレーム１０はアルミ材料からなり、背板１１と、支持部材１２とを有するものである。
【００１４】
その内、前記背板１１は、細長状のプレート体であり、前記フレーム１０を壁や展示用壁板などに掛止するために、両側近傍にそれぞれ、掛け孔１１１が形成される。
【００１５】
前記支持部材１２は、細長状のブロック体であり、該フレーム１０の背板１１の側面に設けられると共に、長手方向においてその背板１１と同一の長さを有し、また、上延設部１２１と、下延設部１２２と、前板部１２３と、設置溝部１２４と、２つの位置決め孔１２５と、上リブ１２６と、下リブ１２７とを有する。
【００１６】
その内、前記上延設部１２１は細長状を呈し、前記掛け孔１１１の下側に位置するように、前記背板１１の側面の上部に設置され、前記下延設部１２２には細長状を呈し、前記上延設部１２１と平行するように、その上延設部１２１の下側に位置すると共に、前記背板１１の側面の下部に設置される。
【００１７】
前記前板部１２３は矩形を呈し、前記上延設部１２１と下延設部１２２との間に設けられ、前記背板１１と反対する側に当接面が形成される。、前記設置溝部１２４は、前記上延設部１２１と下延設部１２２と前板部１２３との間に形成され、奥部が該前板部１２３の当接面両端部に位置し、また、前記２つの位置決め孔１２５はそれぞれ円形を呈し、前記背板１１の両側近傍における前板部１２３に穿設される。
【００１８】
前記上リブ１２６は、前記上延設部１２１から下延設部１２２に向かって延設され、前記下リブ１２７は、該下延設部１２２から上リブ１２６に向かって延設される。
【００１９】
図１乃至図５に示すように、収納部材２０は、フレーム１０に設置され、プラスチックからなり、設置溝部１２４の形状と対応する底板２１と、位置決め手段２２と、複数の掛止座２３とを有し、その内、該底板２１は、前記設置溝部１２４に設置され、前記前板部１２３の当接面と反対する側に、前記上リブ１２６及び下リブ１２７に当接する設置面を有する。
【００２０】
前記位置決め手段２２は、位置決めボタンであり、前記底板２１に形成されると共に、前記２つの位置決め孔１２５の何れか１つに係合される。
【００２１】
図２乃至図４Ｂに示すように、底板２１は、設置溝部１２４の両側開口部の何れか１つの開口から、位置決め手段２２が位置決め孔１２５に係合されるまで摺動させ、設置溝部１２４内に設置され、また、前記底板２１は、必ず決まった方向から前記設置溝部１２４に挿入するのではなく、挿入しやすい側から設置溝部１２４に設置すればよい。
【００２２】
前記複数の掛止座２３は中空状を呈し、それぞれ間隔をおいて前記底板２１の設置面に形成されると共に、前記上リブ１２６と下リブ１２７との間に位置するものである。
【００２３】
図７及び図８に示すように、各掛止座２３は、前記底板２１と反対する側に形成される前面と、掛止孔２３１と、スリット２３２と、２つの案内面２３３と、延設溝２３４とを有し、その内、該掛止孔２３１は、掛止座２３の上面から下面まで縦方向に貫通するように形成され、該スリット２３２は、掛止座２３の前面において上面から下面まで縦方向に切欠くように形成されると共に、該掛止孔２３１と連通し、両側に互いに面するように２つの内側面が形成され、該案内面２３３はそれぞれ、該スリット２３２の内側面に外側へ向かって広がるように形成され、該延設溝２３４は、該掛止孔２３１と連通すると共に、前記底板２１に向かって縦方向へ掛止座２３を切欠くように形成される。
【００２４】
図６乃至図８に示すように、本発明に係る手工具用ホルダにおいては、複数の手工具、例えば、複数のドライバー３０をそれぞれ、複数の掛止座２３に配置することができる。また、前記各ドライバー３０は、棒部３１を有し、該棒部３１が掛止孔２３１を介して掛止座２３に挿設される時は、該棒部３１が、案内面２３３を押圧して掛止孔２３１、掛止孔２３１、延設溝２３４を拡大させるので、該ドライバー３０の棒部３１を掛止孔２３１に押し込むことができ、その後、該掛止座２３の掛止孔２３１が復位すると、ドライバー３０の棒部３１が、掛止孔２３１に位置決められて収納が完了する。
【００２５】
図９及び図１０に示すように、本発明に係る手工具用ホルダにおける第二実施例は、その殆どが第一実施例と同一であるが、掛止座２３Ａにおいて異なり、その掛止座２３Ａは、２つの凹部２３５Ａとを有し、該凹部２３５Ａはそれぞれ、掛止座２３Ａの外側面に対向するように、且つ掛止座２３Ａの上面から下面まで切欠くように凹設される。
【００２６】
また、前記第二実施例においては、ドライバー３０の棒部３１が、掛止座２３Ａのスリット２３２Ａから掛止孔２３１Ａに挿設される時、掛止座２３Ａの２つの案内面２３３Ａを押圧して凹部２３５Ａを変形させ、スリット２３２Ａ及び掛止孔２３１Ａを拡大させるので、棒部３１を掛止孔２３１Ａに押し込むことができ、その後、案内面２３３Ａが復位すると、該掛止孔２３１Ａが元の形に戻り、ドライバー３０の棒部３１が掛止孔２３１Ａに収納される。
【００２７】
さらに、前記各掛止座２３Ａの、凹部２３５Ａと掛止孔２３１Ａとの間に形成される最小距離Ａは、掛止座２３Ａの案内面２３３Ａ以外の箇所に、掛止座２３Ａの側面とスリット２３２Ａとの間に形成される最小距離Ｂを有し、その最小距離Ａは、最小距離Ｂより小さいものである。このように、前記各掛止座２３Ａの２つの案内面２３３Ａが押圧されると、スリット２３２Ａが変形拡大し、ドライバー３０の棒部３１の掛止孔２３１Ａへの嵌合が容易となる。
【００２８】
図１１に示すように、本発明に係る手工具用ホルダにおける第三実施例は、その殆どが第一実施例と同一であるが、第三実施例の掛止座２３Ｂには、スリット２３２及び延設溝２３４を有しないことが異なる。
【００２９】
第三実施例の掛止座２３Ｂはさらに、スロット２３６Ｂを有し、該スロット２３６Ｂは、掛止座２３Ｂの上面から下面まで貫通するように形成され、且つ掛止孔２３１Ｂと連通し、また、その掛止座２３Ｂの掛止孔２３１Ｂは、スロット２３６Ｂの中央に位置することが好ましい。
【００３０】
尚、第三実施例において、ドライバー３０を掛止孔２３１Ｂから掛止座２３Ｂに挿設する時は、ドライバー３０の先端３２がスロット２３６Ｂを通るように、棒部３１が掛止孔２３１Ｂに収納される。
【００３１】
上述したように、本発明によれば、前記収納部材２０は、複数の掛止座２３、２３Ａ、２３Ｂを有するので、複数のドライバー３０を引っ掛けて収納することができ、また、該収納部材２０とフレーム１０との組み合わせか非常に簡単であることから、組立て時間や製造コストを節約することができる。
【産業上の利用可能性】
【００３２】
本発明に係る手工具用のホルダは上記の構成を有し、複数の部品の組み立てを簡単にすることにより、作業時間を大幅に節約した手工具用ホルダを提供する。
【符号の説明】
【００３３】
１０                    フレーム
１１                    背板
１１１              掛け孔
１２                    支持部材
１２１              上延設部
１２２              下延設部
１２３              前板部
１２４              設置溝部
１２５              位置決め孔
１２６              上リブ
１２７              下リブ
２０                    収納部材
２１                    底板
２２                    位置決め手段
２３、２３Ａ、２３Ｂ掛止座
２３１、２３１Ａ、２３１Ｂ掛止孔
２３２、２３２Ａ    スリット
２３３、２３３Ａ    案内面
２３４              延設溝
２３５Ａ            凹部
２３６Ｂ            スロット
３０                    ドライバー
３１                    棒部
３２                    先端
最小距離Ａ
最小距離Ｂ
【図１】
0005439392.tif 000002
【図２】
0005439392.tif 000003
【図３】
0005439392.tif 000004
【図４Ａ】
0005439392.tif 000005
【図４Ｂ】
0005439392.tif 000006
【図５】
0005439392.tif 000007
【図６】
0005439392.tif 000008
【図７】
0005439392.tif 000009
【図８】
0005439392.tif 000010
【図９】
0005439392.tif 000011
【図１０】
0005439392.tif 000012
【図１１】
0005439392.tif 000013